(57)【特許請求の範囲】
【請求項１】
ＣＭ素材を送受信するためのＣＭ送受信システムにおいて、
同一チャンネルかつ同一時間帯に、複数のＣＭ素材及び該複数のＣＭ素材のそれぞれに対応する複数のＣＭ・ＩＤ情報を配信する広告主端末と、
前記複数のＣＭ素材のそれぞれの映像を縮小／合成した縮小合成映像及び前記複数のＣＭ素材のそれぞれの音声を互いに異なる複数の音声チャンネルに割り当てたマルチチャンネル音声を作成して出力するとともに、前記複数のＣＭ・ＩＤ情報を合成して出力する放送局端末と、
前記放送局端末から出力された縮小合成映像及びマルチチャンネル音声を変調して番組データとして送出するとともに、前記放送局端末から出力された複数のＣＭ・ＩＤ情報を変調して送出する送出装置と、
前記送出装置から送出された複数のＣＭ・ＩＤ情報及び予め入力された視聴者の属性情報に基づいて、前記送出装置から縮小合成映像及びマルチチャンネル音声として送出された複数のＣＭ情報のうち１つのＣＭ素材を自動的に選択し、前記縮小合成映像中の複数のＣＭ素材の映像のうち自動的に選択したＣＭ素材の映像を拡大表示するとともに、前記マルチチャンネル音声中の複数の音声チャンネルのうち自動的に選択したＣＭ素材の音声チャンネルの音声を出力する受信端末とを有し、
前記送出装置は、前記縮小合成映像及び前記マルチチャンネル音声をアナログ放送として送出する場合、前記ＣＭ・ＩＤ情報をＶＢＩとして送出し、前記縮小合成映像及び前記マルチチャンネル音声をディジタル放送として送出する場合、前記ＣＭ・ＩＤ情報をセクション情報またはＰＥＳ情報として送出することを特徴とするＣＭ送受信システム。
【請求項２】
請求項１に記載のＣＭ送受信システムにおいて、
前記受信端末は、自動的に選択されたＣＭ素材のＣＭ・ＩＤ情報及び前記視聴者の属性情報を前記広告主端末に対してネットワークを介して送信し、
前記広告主端末は、前記受信装置から送信されたＣＭ・ＩＤ情報及び視聴者の属性情報の統計処理を行うことを特徴とするＣＭ送受信システム。
【請求項３】
ＣＭ素材を送受信するためのＣＭ送受信システムにおいて、
同一チャンネルかつ同一時間帯に、複数のＣＭ素材及び該複数のＣＭ素材のそれぞれに対応する複数のＣＭ・ＩＤ情報を配信する広告主端末と、
前記複数のＣＭ素材のそれぞれの映像を縮小／合成した縮小合成映像及び前記複数のＣＭ素材のそれぞれの音声を互いに異なる複数の音声チャンネルに割り当てたマルチチャンネル音声を作成して出力するとともに、前記複数のＣＭ・ＩＤ情報を合成して出力する放送局端末と、
前記放送局端末から出力された縮小合成映像及びマルチチャンネル音声を変調して番組データとして送出するとともに、前記放送局端末から出力された複数のＣＭ・ＩＤ情報を変調して送出する送出装置と、
前記送出装置から送出された縮小合成映像を表示し、該縮小合成映像中の複数のＣＭ素材のうち１つのＣＭ素材が手動で選択された場合に、手動で選択されたＣＭ素材の映像を拡大表示するとともに、前記マルチチャンネル音声中の複数の音声チャンネルのうち手動で選択されたＣＭ素材の音声チャンネルの音声を出力する受信端末とを有し、
前記送出装置は、前記縮小合成映像及び前記マルチチャンネル音声をアナログ放送として送出する場合、前記ＣＭ・ＩＤ情報をＶＢＩとして送出し、前記縮小合成映像及び前記マルチチャンネル音声をディジタル放送として送出する場合、前記ＣＭ・ＩＤ情報をセクション情報またはＰＥＳ情報として送出することを特徴とするＣＭ送受信システム。
【請求項４】
請求項３に記載のＣＭ送受信システムにおいて、
前記受信端末は、手動で選択されたＣＭ素材のＣＭ・ＩＤ情報及び前記視聴者の属性情報を前記広告主端末に対してネットワークを介して送信し、
前記広告主端末は、前記受信装置から送信されたＣＭ・ＩＤ情報及び視聴者の属性情報の統計処理を行うことを特徴とするＣＭ送受信システム。
【請求項５】
請求項２または請求項４に記載のＣＭ送受信システムにおいて、
前記受信端末は、
予め入力された視聴者の属性情報を記憶する視聴者属性設定部と、
前記送出装置から縮小合成映像及びマルチチャンネル音声として送出された複数のＣＭ素材のうち１つのＣＭ素材を選択する視聴者属性処理部と、
前記送出装置から送出された縮小合成映像中の複数のＣＭ素材の映像のうち前記視聴者属性処理部にて選択されたＣＭ素材の映像の切り出し・拡大を行う映像切り出し／拡大部と、
前記送出装置から送出されたマルチチャンネル音声中の複数の音声チャンネルのうち前記視聴者属性処理部にて選択されたＣＭ素材の音声チャンネルを選択する音声チャンネル選択部と、
前記送出装置から送出された縮小合成映像及び前記映像切り出し／拡大部から出力された映像のいずれかの映像を選択して出力する切替部と、
前記切替部から出力された映像を表示するディスプレーと、
前記音声チャンネル選択部にて選択された音声チャンネルの音声を出力するスピーカと、
前記視聴者属性処理部にて選択されたＣＭ素材のＣＭ・ＩＤ情報及び視聴者の属性情報を記録する選択ＣＭデータベースと、
前記選択ＣＭデータベースにて記憶されたＣＭ・ＩＤ情報及び視聴者の属性情報を前記ネットワークを介して前記広告主端末装置に対して送信する通信部とを有することを特徴とするＣＭ送受信システム。
【請求項６】
請求項５に記載のＣＭ送受信システムにおいて、
前記視聴者属性処理部は、前記送出装置から縮小合成映像及びマルチチャンネル音声として送出された複数のＣＭ素材のうち１つのＣＭ素材を、前記送出装置から送出された複数のＣＭ・ＩＤ情報及び前記視聴者属性設定部に記憶された視聴者の属性情報に基づいて自動的に選択することが可能であるとともに、手動での選択が可能であることを特徴とするＣＭ送受信システム。
【請求項７】
請求項５または請求項６に記載のＣＭ送受信システムにおいて、
前記広告主装置は、前記通信部から前記ネットワークを介して送信されたＣＭ・ＩＤ情報及び視聴者の属性情報の統計処理を行う統計処理部を有することを特徴とするＣＭ送受信システム。
【請求項８】
請求項２に記載のＣＭ送受信システムを用いたＣＭ送受信方法であって、
同一チャンネルかつ同一時間帯に、前記広告主装置から前記放送局端末に対して複数のＣＭ素材及び該複数のＣＭ素材のそれぞれに対応する複数のＣＭ・ＩＤ情報を配信するステップと、
前記放送局端末にて前記複数のＣＭ素材のそれぞれの映像を縮小／合成して縮小合成映像を作成し、該縮小合成映像を前記送出装置に対して出力するステップと、
前記放送局端末にて前記複数のＣＭ素材のそれぞれの音声を互いに異なる複数の音声チャンネルに割り当ててマルチチャンネル音声を作成し、該マルチチャンネル音声を前記送出装置に対して出力するステップと、
前記放送局端末にて前記複数のＣＭ・ＩＤ情報を合成して出力するステップと、
前記送出装置にて、前記放送局端末から出力された縮小合成映像及びマルチチャンネル音声を変調して番組データとして前記受信装置に対して送出するとともに、前記放送局端末から出力された前記複数のＣＭ・ＩＤ情報を変調して前記受信装置に対して送出するステップと、
前記受信装置にて予め入力された視聴者の属性情報及び前記複数のＣＭ・ＩＤ情報に基づいて、前記送出装置から縮小合成映像及びマルチチャンネル音声として送出された複数のＣＭ情報のうち１つのＣＭ素材を自動的に選択するステップと、
前記受信装置にて、前記縮小合成映像中の複数のＣＭ素材の映像のうち自動的に選択したＣＭ素材の映像を拡大表示するとともに、前記マルチチャンネル音声中の複数の音声チャンネルのうち自動的に選択したＣＭ素材の音声チャンネルの音声を出力するステップとを有することを特徴とするＣＭ送受信方法。
【請求項９】
請求項８に記載のＣＭ送受信方法において、
前記受信装置にて自動的に選択したＣＭ素材のＣＭ・ＩＤ情報及び視聴者の属性情報を記録するステップと、
前記受信装置にて自動的に選択したＣＭ素材のＣＭ・ＩＤ情報及び視聴者の属性情報を前記ネットワークを介して前記広告主装置に対して送信するステップと、
前記広告主装置にて前記受信装置から送信されたＣＭ・ＩＤ情報及び視聴者の属性情報の統計処理を行うステップとを有することを特徴とするＣＭ送受信方法。
【請求項１０】
請求項４に記載のＣＭ送受信システムを用いたＣＭ送受信方法であって、
同一チャンネルかつ同一時間帯に、前記広告主装置から前記放送局端末に対して複数のＣＭ素材及び該複数のＣＭ素材のそれぞれに対応する複数のＣＭ・ＩＤ情報を配信するステップと、
前記放送局端末にて前記複数のＣＭ素材のそれぞれの映像を縮小／合成して縮小合成映像を作成し、該縮小合成映像を前記送出装置に対して出力するステップと、
前記放送局端末にて前記複数のＣＭ素材のそれぞれの音声を互いに異なる複数の音声チャンネルに割り当ててマルチチャンネル音声を作成し、該マルチチャンネル音声を前記送出装置に対して出力するステップと、
前記放送局端末にて前記複数のＣＭ・ＩＤ情報を合成して出力するステップと、
前記送出装置にて、前記放送局端末から出力された縮小合成映像及びマルチチャンネル音声を変調して番組データとして前記受信装置に対して送出するとともに、前記放送局端末から出力された前記複数のＣＭ・ＩＤ情報を変調して前記受信装置に対して送出するステップと、
前記受信装置にて前記縮小合成映像を表示するステップと、
前記受信装置にて表示された縮小合成映像中の複数のＣＭ素材のうち１つのＣＭ素材を手動で選択するステップと、
前記受信装置にて、前記縮小合成映像中の複数のＣＭ素材の映像のうち手動で選択されたＣＭ素材の映像を拡大表示するとともに、前記マルチチャンネル音声中の複数の音声チャンネルのうち手動で選択されたＣＭ素材の音声チャンネルの音声を出力するステップとを有することを特徴とするＣＭ送受信方法。
【請求項１１】
請求項１０に記載のＣＭ送受信方法において、
前記受信装置にて手動で選択されたＣＭ素材のＣＭ・ＩＤ情報及び視聴者の属性情報を記録するステップと、
前記受信装置にて手動で選択されたＣＭ素材のＣＭ・ＩＤ情報及び視聴者の属性情報を前記ネットワークを介して前記広告主装置に対して送信するステップと、
前記広告主装置にて前記受信装置から送信されたＣＭ・ＩＤ情報及び視聴者の属性情報の統計処理を行うステップとを有することを特徴とするＣＭ送受信方法。
【発明の詳細な説明】
【０００１】
【発明の属する技術分野】
本発明は、ＣＭ素材を送受信するためのＣＭ送受信システム及びこれを用いたＣＭ送受信方法に関する。
【０００２】
【従来の技術】
従来より、ＴＶ放送等のＣＭを送受信するＣＭ送受信システムでは、１つの時間帯に１つのＣＭしか送受信することができないため、ＣＭを配信する広告主側では、特定の視聴者層にターゲットを絞り込んでＣＭを配信するか、或いはターゲットを絞り込まずにイメージ広告的なＣＭを配信するしかなかった。
【０００３】
また、広告主側では、視聴者からのフィードバックをリアルタイムに得ることができないため、どのような視聴者層がどのようなＣＭを興味を持って視聴しているかを知ることができなかった。
【０００４】
このため、広告主側では、異なった興味を持つ複数の視聴者層に対して同時にかつ効果的に広告を行うことができないという問題点がある。
【０００５】
近年、上述した問題点を解決するために種々のシステムが提案されており、例えば、特開平１１−１７６３３号公報においては、視聴者層を識別するためのターゲットＩＤが付加された広告情報（ＣＭ）をディジタル放送の放送信号に対して多重化して配信する送信側装置と、送信側装置から配信された放送信号を受信し、この放送信号に含まれるターゲットＩＤと予め登録されている視聴者属性とが一致する広告情報を選択して出力する受信装置とが設けられた広告情報放送システムが開示されている。
【０００６】
更に、上記広告情報放送システムにおいては、送信側装置において、広告情報のより詳細な情報である詳細情報を広告情報に付随させて配信し、受信装置において、詳細情報の視聴を視聴者から要求された場合に詳細情報を視聴可能とし、該詳細情報の要求履歴を送信側装置に対してアップロード可能なように構成することも可能である。
【０００７】
これによれば、視聴者側では、好みの広告情報のみを選択的に視聴することが可能になり、また、広告主側では、その広告情報に興味のある視聴者層に対して効果的に広告を行うことが可能になるとともに、広告情報の視聴履歴が収集可能であるため、更に効果的に広告を行うことが可能になる。
【０００８】
【発明が解決しようとする課題】
しかしながら、特開平１１−１７６３３号公報に開示された広告情報放送システムにおいては、広告情報のターゲットＩＤと視聴者属性とが一致した受信装置のみにて、この広告情報が出力されるため、広告情報を配信する広告主側では、同一の時間帯に視聴者属性が互いに異なる受信装置から同時に広告効果を得ることができず、満足し得る広告効果を得ることができないという問題点がある。
【０００９】
また、受信装置の視聴者側では、受信装置に予め登録されている視聴者属性を変更しない限りは、自らの意思で容易に広告情報を選択することができないという問題点がある。
【００１０】
また、ディジタル放送のみが対象とされており、アナログ放送が対象とされていないという問題点がある。
【００１１】
本発明は上述したような従来の技術が有する問題点に鑑みてなされたものであって、広告主側で、放送の種別に無関係に広告効果を得ることができるとともに、同一時間帯に更なる広告効果を得ることができ、かつ視聴者側で、自らの意思で容易にＣＭを選択することができるＣＭ送受信システム及びこれを用いたＣＭ送受信方法を提供することを目的とする。
【００１２】
【課題を解決するための手段】
上記目的を達成するために本発明は、
ＣＭ素材を送受信するためのＣＭ送受信システムにおいて、
同一チャンネルかつ同一時間帯に、複数のＣＭ素材及び該複数のＣＭ素材のそれぞれに対応する複数のＣＭ・ＩＤ情報を配信する広告主端末と、
前記複数のＣＭ素材のそれぞれの映像を縮小／合成した縮小合成映像及び前記複数のＣＭ素材のそれぞれの音声を互いに異なる複数の音声チャンネルに割り当てたマルチチャンネル音声を作成して出力するとともに、前記複数のＣＭ・ＩＤ情報を合成して出力する放送局端末と、
前記放送局端末から出力された縮小合成映像及びマルチチャンネル音声を変調して番組データとして送出するとともに、前記放送局端末から出力された複数のＣＭ・ＩＤ情報を変調して送出する送出装置と、
前記送出装置から送出された複数のＣＭ・ＩＤ情報及び予め入力された視聴者の属性情報に基づいて、前記送出装置から縮小合成映像及びマルチチャンネル音声として送出された複数のＣＭ情報のうち１つのＣＭ素材を自動的に選択し、前記縮小合成映像中の複数のＣＭ素材の映像のうち自動的に選択したＣＭ素材の映像を拡大表示するとともに、前記マルチチャンネル音声中の複数の音声チャンネルのうち自動的に選択したＣＭ素材の音声チャンネルの音声を出力する受信端末とを有することを特徴とする。
【００１３】
また、前記受信端末は、自動的に選択されたＣＭ素材のＣＭ・ＩＤ情報及び前記視聴者の属性情報を前記広告主端末に対してネットワークを介して送信し、
前記広告主端末は、前記受信装置から送信されたＣＭ・ＩＤ情報及び視聴者の属性情報の統計処理を行うことを特徴とする。
【００１４】
また、同一チャンネルかつ同一時間帯に、複数のＣＭ素材及び該複数のＣＭ素材のそれぞれに対応する複数のＣＭ・ＩＤ情報を配信する広告主端末と、
前記複数のＣＭ素材のそれぞれの映像を縮小／合成した縮小合成映像及び前記複数のＣＭ素材のそれぞれの音声を互いに異なる複数の音声チャンネルに割り当てたマルチチャンネル音声を作成して出力するとともに、前記複数のＣＭ・ＩＤ情報を合成して出力する放送局端末と、
前記放送局端末から出力された縮小合成映像及びマルチチャンネル音声を変調して番組データとして送出するとともに、前記放送局端末から出力された複数のＣＭ・ＩＤ情報を変調して送出する送出装置と、
前記送出装置から送出された縮小合成映像を表示し、該縮小合成映像中の複数のＣＭ素材のうち１つのＣＭ素材が手動で選択された場合に、手動で選択されたＣＭ素材の映像を拡大表示するとともに、前記マルチチャンネル音声中の複数の音声チャンネルのうち手動で選択されたＣＭ素材の音声チャンネルの音声を出力する受信端末とを有することを特徴とする。
【００１５】
また、前記受信端末は、手動で選択されたＣＭ素材のＣＭ・ＩＤ情報及び前記視聴者の属性情報を前記広告主端末に対してネットワークを介して送信し、
前記広告主端末は、前記受信装置から送信されたＣＭ・ＩＤ情報及び視聴者の属性情報の統計処理を行うことを特徴とする。
【００１６】
また、前記送出装置は、前記縮小合成映像及び前記マルチチャンネル音声をアナログ放送として送出する場合、前記ＣＭ・ＩＤ情報をＶＢＩとして送出し、前記縮小合成映像及び前記マルチチャンネル音声をディジタル放送として送出する場合、前記ＣＭ・ＩＤ情報をセクション情報またはＰＥＳ情報（Packetized Elementary Stream)として送出することを特徴とする。
【００１７】
また、前記受信端末は、
予め入力された視聴者の属性情報を記憶する視聴者属性設定部と、
前記送出装置から縮小合成映像及びマルチチャンネル音声として送出された複数のＣＭ素材のうち１つのＣＭ素材を選択する視聴者属性処理部と、
前記送出装置から送出された縮小合成映像中の複数のＣＭ素材の映像のうち前記視聴者属性処理部にて選択されたＣＭ素材の映像の切り出し・拡大を行う映像切り出し／拡大部と、
前記送出装置から送出されたマルチチャンネル音声中の複数の音声チャンネルのうち前記視聴者属性処理部にて選択されたＣＭ素材の音声チャンネルを選択する音声チャンネル選択部と、
前記送出装置から送出された縮小合成映像及び前記映像切り出し／拡大部から出力された映像のいずれかの映像を選択して出力する切替部と、
前記切替部から出力された映像を表示するディスプレーと、
前記音声チャンネル選択部にて選択された音声チャンネルの音声を出力するスピーカと、
前記視聴者属性処理部にて選択されたＣＭ素材のＣＭ・ＩＤ情報及び視聴者の属性情報を記録する選択ＣＭデータベースと、
前記選択ＣＭデータベースにて記憶されたＣＭ・ＩＤ情報及び視聴者の属性情報を前記ネットワークを介して前記広告主端末装置に対して送信する通信部とを有することを特徴とする。
【００１８】
また、前記視聴者属性処理部は、前記送出装置から縮小合成映像及びマルチチャンネル音声として送出された複数のＣＭ素材のうち１つのＣＭ素材を、前記送出装置から送出された複数のＣＭ・ＩＤ情報及び前記視聴者属性設定部に記憶された視聴者の属性情報に基づいて自動的に選択することが可能であるとともに、手動での選択が可能であることを特徴とする。
【００１９】
また、前記広告主装置は、前記通信部から前記ネットワークを介して送信されたＣＭ・ＩＤ情報及び視聴者の属性情報の統計処理を行う統計処理部を有することを特徴とする。
【００２０】
また、前記ＣＭ送受信システムを用いたＣＭ送受信方法であって、
同一チャンネルかつ同一時間帯に、前記広告主装置から前記放送局端末に対して複数のＣＭ素材及び該複数のＣＭ素材のそれぞれに対応する複数のＣＭ・ＩＤ情報を配信するステップと、
前記放送局端末にて前記複数のＣＭ素材のそれぞれの映像を縮小／合成して縮小合成映像を作成し、該縮小合成映像を前記送出装置に対して出力するステップと、
前記放送局端末にて前記複数のＣＭ素材のそれぞれの音声を互いに異なる複数の音声チャンネルに割り当ててマルチチャンネル音声を作成し、該マルチチャンネル音声を前記送出装置に対して出力するステップと、
前記放送局端末にて前記複数のＣＭ・ＩＤ情報を合成して出力するステップと、
前記送出装置にて、前記放送局端末から出力された縮小合成映像及びマルチチャンネル音声を変調して番組データとして前記受信装置に対して送出するとともに、前記放送局端末から出力された前記複数のＣＭ・ＩＤ情報を変調して前記受信装置に対して送出するステップと、
前記受信装置にて予め入力された視聴者の属性情報及び前記複数のＣＭ・ＩＤ情報に基づいて、前記送出装置から縮小合成映像及びマルチチャンネル音声として送出された複数のＣＭ情報のうち１つのＣＭ素材を自動的に選択するステップと、
前記受信装置にて、前記縮小合成映像中の複数のＣＭ素材の映像のうち自動的に選択したＣＭ素材の映像を拡大表示するとともに、前記マルチチャンネル音声中の複数の音声チャンネルのうち自動的に選択したＣＭ素材の音声チャンネルの音声を出力するステップとを有することを特徴とする。
【００２１】
また、前記受信装置にて自動的に選択したＣＭ素材のＣＭ・ＩＤ情報及び視聴者の属性情報を記録するステップと、
前記受信装置にて自動的に選択したＣＭ素材のＣＭ・ＩＤ情報及び視聴者の属性情報を前記ネットワークを介して前記広告主装置に対して送信するステップと、
前記広告主装置にて前記受信装置から送信されたＣＭ・ＩＤ情報及び視聴者の属性情報の統計処理を行うステップとを有することを特徴とする。
【００２２】
また、同一チャンネルかつ同一時間帯に、前記広告主装置から前記放送局端末に対して複数のＣＭ素材及び該複数のＣＭ素材のそれぞれに対応する複数のＣＭ・ＩＤ情報を配信するステップと、
前記放送局端末にて前記複数のＣＭ素材のそれぞれの映像を縮小／合成して縮小合成映像を作成し、該縮小合成映像を前記送出装置に対して出力するステップと、
前記放送局端末にて前記複数のＣＭ素材のそれぞれの音声を互いに異なる複数の音声チャンネルに割り当ててマルチチャンネル音声を作成し、該マルチチャンネル音声を前記送出装置に対して出力するステップと、
前記放送局端末にて前記複数のＣＭ・ＩＤ情報を合成して出力するステップと、
前記送出装置にて、前記放送局端末から出力された縮小合成映像及びマルチチャンネル音声を変調して番組データとして前記受信装置に対して送出するとともに、前記放送局端末から出力された前記複数のＣＭ・ＩＤ情報を変調して前記受信装置に対して送出するステップと、
前記受信装置にて前記縮小合成映像を表示するステップと、
前記受信装置にて表示された縮小合成映像中の複数のＣＭ素材のうち１つのＣＭ素材を手動で選択するステップと、
前記受信装置にて、前記縮小合成映像中の複数のＣＭ素材の映像のうち手動で選択されたＣＭ素材の映像を拡大表示するとともに、前記マルチチャンネル音声中の複数の音声チャンネルのうち手動で選択されたＣＭ素材の音声チャンネルの音声を出力するステップとを有することを特徴とする。
【００２３】
また、前記受信装置にて手動で選択されたＣＭ素材のＣＭ・ＩＤ情報及び視聴者の属性情報を記録するステップと、
前記受信装置にて手動で選択されたＣＭ素材のＣＭ・ＩＤ情報及び視聴者の属性情報を前記ネットワークを介して前記広告主装置に対して送信するステップと、
前記広告主装置にて前記受信装置から送信されたＣＭ・ＩＤ情報及び視聴者の属性情報の統計処理を行うステップとを有することを特徴とする。
【００２４】
また、前記縮小合成映像及び前記マルチチャンネル音声を前記送出装置からアナログ放送として送出する場合、前記ＣＭ・ＩＤ情報をＶＢＩとして前記送出装置から送出し、前記縮小合成映像及び前記マルチチャンネル音声を前記送出装置からディジタル放送として送出する場合、前記ＣＭ・ＩＤ情報をセクション情報またはＰＥＳ情報として前記送出装置から送出することを特徴とする。
【００２５】
（作用）
上記のように構成された本発明においては、広告主装置において、同一チャンネルかつ同一時間帯に、複数のＣＭ素材（映像は縮小合成され、音声はマルチチャンネル音声として）及び該複数のＣＭ素材のそれぞれに対応する複数のＣＭ・ＩＤ情報が配信され、受信端末において、複数のＣＭ・ＩＤ情報及び予め入力された視聴者の属性情報に基づいて、複数のＣＭ素材のうち１つのＣＭ素材が自動的に選択され、自動的に選択されたＣＭ素材の映像が拡大表示されるとともに該ＣＭ素材の音声が出力される。
【００２６】
これにより、受信端末の視聴者側では、好みのＣＭ素材が選択的に視聴可能となり、また、広告主装置の広告主側では、同一時間帯に視聴者属性が互いに異なる受信端末から同時に広告効果を得ることが可能となるため、同一時間帯に得られる広告効果及び投資効果を更に向上させること可能となる。
【００２７】
また、受信端末において、複数のＣＭ素材の映像が縮小合成映像として表示され、該縮小合成映像中の複数のＣＭ素材のうち１つのＣＭ素材が手動で選択された場合に、手動で選択されたＣＭ素材が拡大表示されるとともに該ＣＭ素材の音声が出力される構成とすることにより、受信端末の視聴者が自らの意思で容易にＣＭ素材を選択可能となる。
【００２８】
また、受信端末において、手動或いは自動で選択したＣＭ素材のＣＭ・ＩＤ情報及び視聴者の属性情報がネットワークを介して広告主端末に自動的に送信されるような構成としたため、広告主端末において、受信端末から送信されたＣＭ素材のＣＭ・ＩＤ情報及び視聴者の属性情報の統計処理を行うことが可能となり、例えば、広告主装置の広告主側で、どのようなＣＭ素材がどのような属性の視聴者に視聴されているかという様な情報を知ることが可能となる。
【００２９】
【発明の実施の形態】
以下に、本発明の実施の形態について図面を参照して説明する。
【００３０】
図１は、本発明のＣＭ送受信システムの実施の一形態を示す構成図である。
【００３１】
図１に示すように本形態は、同一チャンネルかつ同一時間帯に、ＣＭ素材１１，１２の２つのＣＭ素材及び該ＣＭ素材１１，１２のそれぞれに対応する２つのＣＭ・ＩＤ情報を配信する広告主端末１と、広告主端末１から配信された２つのＣＭ素材１１，１２のそれぞれの映像を縮小／合成した縮小合成映像及び広告主端末１から配信されたＣＭ素材１１，１２のそれぞれの音声を互いに異なる２つの音声チャンネルに割り当てたマルチチャンネル音声を作成して出力するとともに、広告主端末１から配信されたＣＭ・ＩＤ情報を合成して出力する放送局端末２と、放送局端末２から出力された縮小合成映像及びマルチチャンネル音声を変調して番組データとして送出するとともに、放送局端末２から出力されたＣＭ・ＩＤ情報を変調して送出する送出装置３と、送出装置３から縮小合成映像及びマルチチャンネル音声として送出されたＣＭ素材１１，１２のうち１つのＣＭ素材を自動或いは手動で選択し、送出装置３から送出された縮小合成映像中のＣＭ素材１１，１２の映像のうち選択したＣＭ素材の映像を拡大表示するとともに、送出装置３から送出されたマルチチャンネル音声中のＣＭ素材１１，１２の音声チャンネルのうち選択したＣＭ素材の音声チャンネルの音声を出力し、かつ選択したＣＭ素材のＣＭ・ＩＤ情報及び視聴者の属性情報をネットワーク５を介して広告主端末１に対して自動的に送信する受信端末４とから構成されており、広告主端末１においては、受信端末４から送信されてきたＣＭ素材のＣＭ・ＩＤ情報及び視聴者の属性情報の統計処理が行われる。
【００３２】
なお、本形態においては、広告主端末１がＣＭ素材１１，１２の２つのＣＭ素材を配信するものとして説明するが、本発明においては、広告主端末１が配信するＣＭ素材の数は複数であるものとし、必ずしも２つに限定されることはない。
【００３３】
広告主端末１は、ＣＭ素材１１，１２と、受信端末４から送信されたＣＭ素材のＣＭ・ＩＤ情報及び視聴者の属性情報の統計処理を行う統計処理部１３とから構成されている。
【００３４】
放送局端末２は、ＣＭ素材１１，１２のそれぞれの映像を縮小／合成することにより、図２に示すような縮小合成映像を作成して出力する映像縮小合成システム２１と、ＣＭ素材１１，１２のそれぞれの音声を互いに異なる２つの音声チャンネルに割り当てることにより、マルチチャンネル音声を作成して出力する音声マルチチャンネルシステム２２と、広告主端末１から配信された２つのＣＭ・ＩＤ情報を合成して出力するＣＭ・ＩＤ情報処理部２３とから構成されている。
【００３５】
なお、ＣＭ素材のＣＭ・ＩＤ情報とは、ＣＭ自体を識別するための情報や、どのような属性の視聴者にこのＣＭを見てもらいたいかという情報等を含む情報であり、例えば、車のＣＭであれば、車のＣＭであるという情報や、どのような車種の車のＣＭであるかという情報を含む。
【００３６】
また、音声チャンネルとは、アナログ地上波放送では、例えば、主音声チャンネルや副音声チャンネルに対応するものである。
【００３７】
受信端末４は、予め視聴者から入力された視聴者の属性情報を記憶する視聴者属性設定部４４と、送出装置３から縮小合成映像及びマルチチャンネル音声として送出された２つのＣＭ素材１１，１２のうち１つのＣＭ素材を自動或いは手動で選択する視聴者属性処理部４３と、送出装置３から送出された縮小合成映像中のＣＭ素材１１，１２の映像のうち視聴者属性処理部４３にて選択されたＣＭ素材の映像部分の切り出し・拡大を行う映像切り出し／拡大部４１と、送出装置３から送出されたマルチチャンネル音声中のＣＭ素材１１，１２の音声チャンネルのうち視聴者属性処理部４３にて選択されたＣＭ素材の音声チャンネルを選択する音声チャンネル選択部４２と、送出装置３から送出された縮小合成映像及び映像切り出し／拡大部４１から出力された映像のいずれかの映像を選択して出力する切替部４５と、切替部４５から出力された映像を表示するディスプレー４６と、音声チャンネル選択部４２にて選択された音声チャンネルの音声を出力するスピーカ４７と、視聴者属性処理部４３にて選択されたＣＭ素材のＣＭ・ＩＤ情報及び視聴者の属性情報を記録する選択ＣＭデータベース４８と、選択ＣＭデータベース４８にて記録されたＣＭ素材の属性情報及び視聴者の属性情報をインターネット等のネットワーク５を介して広告主端末装置１に対して自動的に送信する通信部４９とから構成されている。
【００３８】
視聴者属性処理部４３は、ＣＭ素材１１，１２のうち１つのＣＭ素材を自動的に選択する場合、視聴者属性設定部４４に記憶された視聴者の属性情報と送出装置３から送出された２つのＣＭ・ＩＤ情報とに基づいて１つのＣＭ素材を選択する。
【００３９】
なお、視聴者の属性情報とは、視聴者の固定属性の情報（年齢、性別など）や視聴者の好みの情報（車で言えば、どういう車種が好きかなど）等を含む情報である。
【００４０】
以下に、上記のように構成されたＣＭ送受信システムを用いたＣＭ送受信方法についてフローチャートを用いて説明する。
【００４１】
図３は、図１に示したＣＭ送受信システムを用いたＣＭ送受信方法の一例を説明するためのフローチャートである。なお、本例においては、視聴者属性処理部４３において、送出装置３から送出されたＣＭ素材１１，１２のうち１つのＣＭ素材が自動的に選択され、また、切替部４５において、映像切り出し／拡大部４１から出力された映像が常時選択されるように設定されているものとして説明する。
【００４２】
まず、広告主端末１において、同一チャンネルかつ同一時間帯に、ＣＭ素材１１，１２の２つのＣＭ素材が放送局端末２に対して配信されるとともに（ステップＳ１）、ＣＭ素材１１，１２のそれぞれに対応する２つのＣＭ・ＩＤ情報が放送局端末２に対して配信される（ステップＳ２）。
【００４３】
放送局端末２においては、映像縮小合成システム２１において、ＣＭ素材１１，１２のそれぞれの映像が縮小／合成されることにより、縮小合成映像（図２参照）が作成されて送出装置３に対して出力され（ステップＳ３）、また、音声マルチチャンネル化システム２２において、ＣＭ素材１１，１２のそれぞれの音声が互いに異なる２つの音声チャンネルに割り当てられることにより、マルチチャンネル音声が作成されて送出装置３に対して出力され（ステップＳ４）、また、ＣＭ・ＩＤ情報処理部２３において、２つのＣＭ・ＩＤ情報が合成されて送出装置３に対して出力される（ステップＳ５）。
【００４４】
送出装置３においては、映像縮小合成システム２１から出力された縮小合成映像及び音声マルチチャンネルシステム２２から出力されたマルチチャンネル音声が変調されて地上波放送や衛星放送などの番組データとして送出されるとともに（ステップＳ６）、ＣＭ・ＩＤ情報処理部２３から出力されたＣＭ・ＩＤ情報が変調され、縮小合成映像及びマルチチャンネル音声とは別の形式で送出される（ステップＳ７）。
【００４５】
なお、送出装置３においては、例えば、縮小合成映像及びマルチチャンネル音声がアナログ放送として送出される場合には、ＣＭ素材のＣＭ・ＩＤ情報がＶＢＩ（Vertical Branking Interval）として送出され、また、縮小合成映像及びマルチチャンネル音声がデジタル放送として送出される場合には、ＣＭ素材のＣＭ・ＩＤ情報がセクション情報またはＰＥＳ（Packetized Elementary Stream)情報として送出される。
【００４６】
受信端末４においては、送出装置３から送出された縮小合成映像、マルチチャンネル音声及びＣＭ・ＩＤ情報のそれぞれが、映像切り出し／拡大部４１、音声チャンネル選択部４２及び視聴者属性処理部４３にて受信され、また、視聴者属性設定部４４には視聴者の属性情報が予め記憶されている。
【００４７】
視聴者属性処理部４３においては、視聴者属性設定部４４に記憶されている視聴者の属性情報と受信したＣＭ・ＩＤ情報とに基づいて、両者の情報のマッチングが行われ、縮小合成映像及びマルチチャンネル音声としてそれぞれ映像切り出し／拡大部４１及び音声チャンネル選択部４２にて受信された２つのＣＭ素材１１，１２（例えば、車種が互いに異なる２つの車のＣＭ）のうち視聴者が好むであろう１つのＣＭ素材が自動的に選択され、該選択結果が、映像切り出し／拡大部４１、音声チャンネル選択部４２及び切替部４５に対して通知される（ステップＳ８）。
【００４８】
映像切り出し／拡大部４１においては、送出装置３から送出された縮小合成映像中のＣＭ素材１１，１２の映像のうち視聴者属性処理部４３にて選択されたＣＭ素材の映像部分の切り出し・拡大が行われ、切り出し・拡大が行われた映像が切替部４５に対して出力される。
【００４９】
本例においては、映像切り出し／拡大部４１からの出力が切替部４５にて常時選択されるように設定されているため、映像切り出し／拡大部４１から出力された映像は、切替部４５を介してディスプレー４６に表示される（ステップＳ９）。
【００５０】
また、音声チャンネル選択部４２においては、送出装置３から送出されたマルチチャンネル音声中のＣＭ素材１１，１２の音声チャンネルのうち視聴者属性処理部４３にて選択されたＣＭ素材の音声チャンネルが選択され、選択された音声チャンネルの音声がスピーカ４７から出力される（ステップＳ１０）。
【００５１】
次に、視聴者属性処理部４３にて選択されたＣＭ素材のＣＭ・ＩＤ情報及び視聴者の属性情報が選択ＣＭデータベース４８に記録され（ステップＳ１１）、視聴者入力によって視聴者の許可が得られた場合には、選択ＣＭデータベース４８に記録された情報が通信部４９を介してネットワーク５を経由して広告主端末１に自動的に送信される（ステップＳ１２）。
【００５２】
その後、広告主端末１内に設けられた統計処理部１３において、通信部４９から送信されてきたＣＭ素材のＣＭ・ＩＤ情報及び視聴者の属性情報の統計処理が行われる（ステップＳ１３）。
【００５３】
次に、図１に示したＣＭ送受信システムを用いたＣＭ送受信方法の他の例について説明する。
【００５４】
図４は、図１に示したＣＭ送受信システムを用いたＣＭ送受信方法の他の例を説明するためのフローチャートである。なお、本例においては、視聴者属性処理部４３において、送出装置３から送出されたＣＭ素材１１，１２のうち１つのＣＭ素材が視聴者入力により手動で選択され、また、切替部４５において、まず送出装置３から送出された縮小合成映像が選択され、その後、視聴者属性処理部４３におけるＣＭ素材の選択結果が通知されると、映像切り出し／拡大部４１から出力された映像が選択されるように設定されているものとして説明する。また、本例におけるステップＳ１〜Ｓ７，Ｓ１１〜１３における処理は、図３に示した例における処理と同様であるため、詳細な説明は省略する。
【００５５】
ステップＳ６，Ｓ７における処理が終了すると、送出装置３から送出された縮小合成映像が切替部４５にて選択されてディスプレー４６に表示される（ステップＳ１４）。
【００５６】
ディスプレー４６に縮小合成映像が表示されると、この縮小合成映像中のＣＭ素材１１，１２のうち１つのＣＭ素材を視聴者属性処理部４３で視聴者入力によって選択させ（ステップＳ１５）、視聴者属性処理部４３における視聴者入力によるＣＭ素材の選択結果が、映像切り出し／拡大部４１、音声チャンネル選択部４２及び切替部４５に対して通知される。
【００５７】
その後、図３に示した例と同様に、ステップＳ９〜Ｓ１３における処理が行われる。
【００５８】
本形態においては、視聴者の属性情報として視聴者の好みの情報を得るために、この情報を視聴者自身に入力させているが、本発明においては、視聴者の番組の視聴履歴（どのような属性の番組をより多く視聴したか）に基づいて、視聴者の好みの情報を自動抽出することもできる。
【００５９】
上述したように本形態においては、広告主装置１において、同一チャンネルかつ同一時間帯に複数のＣＭ素材及び該複数のＣＭ素材のそれぞれに対応する複数のＣＭ・ＩＤ情報が配信され、受信端末４において、複数のＣＭ・ＩＤ情報と視聴者の属性情報とのマッチングをとることにより、複数のＣＭ素材のうち１つのＣＭ素材が自動的に選択されて拡大表示されるとともに該ＣＭ素材の音声が出力される。
【００６０】
このため、広告主装置１の広告主側では、視聴者属性とは無関係に全ての視聴者に対して同一ＣＭ素材を表示する場合と比較して、ＣＭ素材の広告効果及び投資効果を向上させることができるとともに、特開平１１−１７６３３号公報に開示された広告情報放送システムと比較して、同一時間帯に得られる広告効果及び投資効果を更に向上させることができ、これにより、広告効果及び投資効果を十分に満足し得るものとすることができる。
【００６１】
また、受信端末４において、複数のＣＭ素材の映像が縮小／合成された縮小合成映像が表示され、該縮小合成映像中の複数のＣＭ素材のうち１つのＣＭ素材が手動により選択された場合に、手動で選択されたＣＭ素材が拡大表示されるとともに該ＣＭ素材の音声が出力される構成とすることにより、受信端末４の視聴者は自らの意思で容易にＣＭ素材を選択することができる。
【００６２】
また、受信端末４において、手動或いは自動で選択したＣＭ素材のＣＭ・ＩＤ情報及び視聴者の属性情報がネットワークを介して広告主端末１に対して自動的に送信されるため、広告主端末１内に設けられた統計処理部１３において、リアルタイムにＣＭ素材のＣＭ・ＩＤ情報の統計処理を行うことが可能になる。
【００６３】
なお、特開平１１−１７６３３号公報に開示された広告情報放送システムにおいても、視聴者から要求された詳細情報の要求履歴が受信装置から送信側装置に対してアップロード可能であるが、本発明においては、受信端末４の視聴者自身が縮小合成映像を視聴した上で１つのＣＭ素材を手動で選択し、ＣＭ素材そのものの選択履歴を広告主端末１に対して送信することが可能であるため、広告主端末１の広告主では、どのような属性の視聴者がどのような属性のＣＭ素材を選択して視聴したかというような統計処理を行うことが可能である。
【００６４】
また、特開平１１−１７６３３号公報に開示された広告情報放送システムにおいては、広告情報が番組以外のデータとして番組データに多重化されて送信されるが、本発明においては、複数のＣＭ素材の映像が縮小／合成されて１つのＣＭ枠である番組データとして送出されるため、受信端末４において、同一チャンネルかつ同一時間帯に、同一広告主から複数のＣＭ素材を同時に受信することが可能となる。
【００６５】
【発明の効果】
以上説明したように本発明においては、広告主装置において、同一チャンネルかつ同一時間帯に、複数のＣＭ素材及び該複数のＣＭ素材のそれぞれに対応する複数のＣＭ・ＩＤ情報が配信され、受信端末において、複数のＣＭ・ＩＤ情報及び予め入力された視聴者の属性情報に基づいて、広告主装置から配信された複数のＣＭ素材のうち１つのＣＭ素材が自動的に選択されて拡大表示されるとともに該ＣＭ素材の音声が出力されるような構成としたため、受信端末の視聴者が好みのＣＭ素材を選択的に視聴することができる。
【００６６】
これにより、広告主装置の広告主側では、視聴者属性とは無関係に全ての視聴者に対して同一ＣＭ素材を表示する場合と比較して、ＣＭ素材の広告効果及び投資効果を向上させることができるとともに、同一時間帯に視聴者属性が互いに異なる受信端末から同時に広告効果を得ることができるため、同一時間帯に得られる広告効果及び投資効果を更に向上させることができ、これにより、広告効果及び投資効果を十分に満足し得るものとすることができる。
【００６７】
また、受信端末において、複数のＣＭ素材の映像が縮小合成映像として表示され、該縮小合成映像中の複数のＣＭ素材のうち１つのＣＭ素材が手動により選択された場合に、選択されたＣＭ素材が拡大表示されるとともに該ＣＭ素材の音声が出力される構成とすることにより、受信端末の視聴者は自らの意思で容易にＣＭ素材を選択することができる。
【００６８】
また、受信端末において、手動或いは自動で選択したＣＭ素材のＣＭ・ＩＤ情報及び視聴者の属性情報がネットワークを介して広告主端末に対して自動的に送信されるような構成としたため、広告主端末において、受信端末から送信されたＣＭ素材のＣＭ・ＩＤ情報及び視聴者の属性情報の統計処理を行うことが可能となり、例えば、広告主装置の広告主側で、どのようなＣＭ素材がどのような属性の視聴者に視聴されているかという様な情報を知ることができるとともに、効果的なＣＭ素材の作成に役立てることができる。
【００６９】
また、送出装置において、縮小合成映像及びマルチチャンネル音声をアナログ放送として送出する場合にＣＭ・ＩＤ情報をＶＢＩとして送出し、また、縮小合成映像及びマルチチャンネル音声をディジタル放送として送出する場合にＣＭ・ＩＤ情報をセクション情報またはＰＥＳ情報として送出するような構成としたため、広告主装置の広告主側では、放送の種別に無関係に広告効果及び投資効果を得ることができる。
【図面の簡単な説明】
【図１】本発明のＣＭ送受信システムの実施の一形態を示す構成図である。
【図２】図１に示した縮小／合成システムにて作成される縮小合成映像の一例を示す図である。
【図３】図１に示したＣＭ送受信システムを用いたＣＭ送受信方法の一例を説明するためのフローチャートである。
【図４】図１に示したＣＭ送受信システムを用いたＣＭ送受信方法の他の例を説明するためのフローチャートである。
【符号の説明】
１    広告主端末
２    放送局端末
３    送出装置
４    受信端末
１１，１２    ＣＭ素材
１３    統計処理部
２１    映像縮小合成システム
２２    音声マルチチャンネルシステム
２３    ＣＭ・ＩＤ処理部
４１    映像切り出し／拡大部
４２    音声チャンネル選択部
４３    視聴者属性処理部
４４    視聴者属性設定部
４５    切替部
４６    ディスプレー
４７    スピーカ
４８    選択ＣＭデータベース
４９    通信部
【図１】
0004352196.tif 000002
【図２】
0004352196.tif 000003
【図３】
0004352196.tif 000004
【図４】
0004352196.tif 000005